(57)【要約】【課題】透明のフィルム等に限らずに読み取り可能な用紙の画像情報を画像形成後に読み取る。【解決手段】ファクシミリ装置１は、共通搬送路４、搬送部５、画像読取部６、画像形成部７、主制御部等を有する。共通搬送路４は、原稿トレイ２及び用紙トレイ３から原稿の一方の読取面の画像を読み取る原稿読取部６及び読取面と同一面側となる用紙の一方の形成面に画像形成を行う画像形成部７を順に経由して排出部８まで原稿及び用紙を導く。搬送部５は、原稿及び用紙を共通搬送路４を経由して排出部８に向かう搬送方向（矢印Ｘ方向）、及び矢印Ｘ方向とは反対の逆搬送方向（矢印Ｙ方向）に搬送する。主制御部は、補正モード時に、テストパターンが形成された用紙の搬送を所定時間だけ停止し、所定時間経過後に用紙を矢印Ｙ方向に所定量だけ逆搬送し、所定量だけ逆搬送した後に用紙を矢印Ｘ方向に再搬送するとともに形成面のテストパターンの画像情報を読み取る。【選択図】図１
2008155569.tif 000002
【特許請求の範囲】
【請求項１】
原稿が載置される原稿トレイと、
用紙が載置される用紙トレイと、
前記原稿トレイ及び前記用紙トレイから、原稿の一方の読取面の画像を読み取る原稿読取部及び前記読取面と同一面側となる用紙の一方の形成面に画像形成を行う画像形成部を順に経由して、原稿及び用紙を排出する排出部まで原稿及び用紙を導く共通搬送路と、
前記原稿トレイ及び前記用紙トレイに載置された原稿及び用紙を、前記共通搬送路を経由して前記排出部に向かう搬送方向と前記排出方向とは反対方向の逆搬送方向とに搬送自在な搬送部と、
前記画像読取部、前記画像形成部及び前記搬送部の動作を制御する制御部と、を備え、
前記制御部は、所定の処理モード時に、所定画像を用紙に形成し、前記所定画像が形成された用紙の搬送を所定時間だけ中止し、前記所定時間経過後に用紙を前記逆搬送方向に所定量だけ逆搬送し、前記所定量だけ逆搬送した後に用紙を前記搬送方向に再搬送するとともに前記形成面の前記所定画像の画像情報を読み取って前記排出部に排出するように、前記画像読取部、前記画像形成部及び前記搬送部の動作を制御することを特徴とするインクジェット画像形成装置。
【請求項２】
前記制御部は、前記画像読取部によって読み取られた画像情報の内容に基づいて、前記画像情報の前記搬送方向に対する傾きを調整することを特徴とする請求項１に記載のインクジェット画像形成装置。
【請求項３】
前記所定の処理モードは、画像形成動作の補正を行う補正モードであり、
前記所定画像は、画像形成動作の補正用のテストパターンであり、
前記制御部は、前記補正モード時に、前記画像読取部によって読み取られた前記テストパターンの画像情報に基づいて画像形成動作の補正を行うことを特徴とする請求項１に記載のインクジェット画像形成装置。
【請求項４】
前記所定量は、用紙の前記搬送方向の後端部が前記原稿トレイ及び前記用紙トレイと前記画像読取部の読取位置との間の停止位置に到達する量であることを特徴とする請求項３に記載のインクジェット画像形成装置。
【請求項５】
前記画像形成部は、用紙が前記所定量だけ逆搬送された際に前記読取位置よりも前記搬送方向の上流側に位置する前記形成面の領域に、前記テストパターンを形成することを特徴とする請求項４に記載のインクジェット画像形成装置。
【請求項６】
前記搬送部は、用紙の一部が前記排出部から外部に露出する露出位置で前記所定時間だけ用紙の搬送を停止し、
前記画像形成部は、前記補正モード時に、用紙が前記露出位置で停止している状態で外部に露出する前記形成面の領域に、画像形成動作の補正中である旨を表示する案内画像を形成することを特徴とする請求項３に記載のインクジェット画像形成装置。
【請求項７】
前記案内画像は、前記テストパターンに含まれることを特徴とする請求項６に記載のインクジェット画像形成装置。
【請求項８】
公衆回線と前記制御部との間を接続し、画像情報を送受信する送受信手段と、
通信回線と前記制御部との間を接続し、送信すべき画像情報とともにファクシミリ送信要求を受け付けるインタフェース部と、を備え、
前記所定の処理モードは、前記インタフェース部によって前記ファクシミリ送信要求が受け付けられた状態のファクシミリ送信モードであり、
前記所定画像は、前記送信すべき画像情報に基づく画像であり、
前記制御部は、前記送信モード時に、前記画像読取部によって読み取られた送信すべき画像情報を送信することを特徴とする請求項１に記載のインクジェット画像形成装置。
【発明の詳細な説明】
【技術分野】
【０００１】
この発明は、用紙に画像形成を行う画像形成部に加え、原稿の画像情報を読み取る画像読取部を備えたインクジェット画像形成装置に関する。
【背景技術】
【０００２】
ファクシミリ装置等のインクジェット画像形成装置の中には、インクを吐出して用紙に画像形成を行う画像形成部に加え、原稿の画像情報を読み取る画像読取部を備えているものもある。用紙及び原稿は、異なる搬送路上を搬送されて画像形成部及び画像読取部を経由して排出部に排出される・
このインクジェット画像形成装置を初めて使用開始する時等は、インクを吐出するインクジェットヘッドの印字位置（吐出位置）を調整するアライメント調整やインクの吐出量の調整等の画像形成動作の補正を行う必要がある。従来の画像読取部を有するインクジェット画像形成装置は、画像形成動作の補正を行う際、まずテストパターンの画像を用紙に形成する。次に、ユーザが排出された用紙を原稿載置トレイに載置する。その後、画像形成装置は、搬送を開始して用紙のテストパターンの画像の画像情報を読み取り、この画像情報に基づいて補正値を取得する。
【０００３】
また、近年のインクジェット画像形成装置では、別々の用紙トレイ及び原稿トレイから画像形成部及び画像読取部を順に経由して排出部に用紙及び原稿を導く共通の搬送路を備え、画像形成部によって透明のフィルム等に形成されたテストパターンの画像を画像読取部が読み取る構成のものがある（例えば、特許文献１参照。）。特許文献１の構成では、画像を形成する用紙の形成面及び画像情報を読み取る原稿の読取面が同一面側にないので、透明のフィルム等を用いてテストパターンを形成面の裏面から透過させて画像読取部で読み取っている。
【０００４】
その他、インクジェット画像形成装置には、共通の搬送路上に画像読取部、画像形成部の順で配置された構成のものもある（例えば、特許文献２参照。）。特許文献２の構成では、テストパターンによる補正は行っていないが、原稿の読み取りと用紙への画像形成とを同時に行うことができる。
【０００５】
また、用紙の種類を判別させる機能を有するアライメントセンサがインクキャリアに配設され、一度アライメントセンサにまで用紙を搬送して用紙種類を判別した後に、用紙を画像形成部にまで逆搬送して画像形成を開始する構成のものがある（例えば、特許文献３参照。）。
【特許文献１】特開２００６−６９０２８号公報
【特許文献２】特開平４−２６４６８４号公報
【特許文献３】実用新案登録第３０８９５７８号
【発明の開示】
【発明が解決しようとする課題】
【０００６】
しかしながら、上述の特許文献１の構成では、透明のフィルム等を用いなければ、画像形成後の用紙の画像情報を読み取ることができない。また、特許文献２，３の構成でも、画像形成後の用紙の画像情報を読み取る構成の記載はない。
【０００７】
この発明の目的は、透明のフィルム等に限らずに読み取り可能な用紙の画像情報を画像形成後に読み取ることができるインクジェット画像形成装置を提供することにある。
【課題を解決するための手段】
【０００８】
この発明は、上述の課題を解決するために以下のように構成される。
【０００９】
この発明のインクジェット画像形成装置は、原稿トレイと、用紙トレイと、共通搬送路と、搬送部と、画像読取部と、画像形成部と、制御部とを備えている。原稿トレイには、原稿が載置される。用紙トレイには、用紙が載置される。共通搬送路は、原稿トレイ及び用紙トレイから、原稿の一方の読取面の画像を読み取る原稿読取部及び読取面と同一面側となる用紙の一方の形成面に画像形成を行う画像形成部を順に経由して、原稿及び用紙を排出する排出部まで原稿及び用紙を導く。搬送部は、原稿トレイ及び用紙トレイに載置された原稿及び用紙を、共通搬送路を経由して排出部に向かう搬送方向と排出方向とは反対方向の逆搬送方向とに搬送自在である。制御部は、画像読取部、画像形成部及び搬送部の動作を制御する。また、制御部は、所定の処理モード時に、所定画像を用紙に形成し、所定画像が形成された用紙の搬送を所定時間だけ中止し、所定時間経過後に用紙を逆搬送方向に所定量だけ逆搬送し、所定量だけ逆搬送した後に用紙を搬送方向に再搬送するとともに形成面の所定画像の画像情報を読み取って排出部に排出するように、画像読取部、画像形成部及び搬送部の動作を制御する。
【００１０】
この構成においては、画像読取部及び画像形成部をこの順で経由する共通搬送路が形成されている。この共通搬送路上を原稿及び用紙が搬送されて画像の読み取り及び画像形成が行われ、排出部に排出される。また、所定の処理モード時には、用紙トレイから用紙が搬送されるとともに画像形成された後、所定時間だけ搬送が停止される。その後、所定量だけ逆搬送された用紙が搬送方向に搬送されて画像形成された画像情報が画像読取部で読み取られる。画像読取部及び画像形成部は、同一面側の原稿及び用紙の画像読取及び画像形成を行うので、透明なフィルム等でない画像形成可能な全ての用紙の画像情報が読み取られる。また、画像形成後に用紙の搬送を所定時間だけ停止するので、インクが乾燥することで画像形成された用紙のインクによって画像読取部が汚損されることが防止される。
【００１１】
また、制御部は、画像読取部によって読み取られた画像情報の内容に基づいて、画像情報の搬送方向に対する傾きを調整することができる。
【００１２】
これによって、逆搬送等によって用紙が傾いて搬送された場合であっても、用紙の画像情報を正確に取得することができる。
【００１３】
また、所定の処理モードは、画像形成動作の補正を行う補正モードであり、
所定画像は、画像形成動作の補正用のテストパターンであり、
制御部は、補正モード時に、画像読取部によって読み取られたテストパターンの画像情報に基づいて画像形成動作の補正を行うことができる。
【００１４】
これによって、最初にテストパターンの画像を用紙に形成した後、ユーザがこの用紙を原稿トレイに載置して画像情報を読み取らせる必要がない。また、透明のフィルム等でなくても画像形成可能な用紙であればテストパターンの形成から読み取りまでを行うことができ、容易に補正を行うことができる。
【００１５】
また、所定量は、用紙の搬送方向の後端部が原稿トレイ及び用紙トレイと画像読取部の読取位置との間の停止位置に到達する量にすることができる。
【００１６】
これによって、逆搬送された時に、用紙が原稿トレイ及び用紙トレイに到達することがなく、共通搬送路上にあるので、紙詰まりを防止することができる。
【００１７】
また、画像形成部は、用紙が所定量だけ逆搬送された際に読取位置よりも搬送方向の上流側に位置する形成面の領域に、テストパターンを形成することができる。
【００１８】
これによって、紙詰まりを防止しつつ、確実にテストパターンを読み取ることができる。
【００１９】
また、搬送部は、用紙の一部が排出部から外部に露出する露出位置で所定時間だけ用紙の搬送を停止し、
画像形成部は、補正モード時に、用紙が露出位置で停止している状態で外部に露出する形成面の領域に、画像形成動作の補正中である旨を表示する案内画像を形成することができる。
【００２０】
これによって、搬送停止中に外部に露出した用紙がユーザによって引っ張り出される等されて補正モードが中断されてしまうことを防止することができる。
【００２１】
また、案内画像は、テストパターンに含まれてもよい。
【００２２】
これによって、テストパターンとは別に案内画像を形成する必要がなく、インクの消費を抑えることができる。
【００２３】
また、インクジェット画像形成装置は、送受信手段と、インタフェース部とを備えることができる。送受信手段は、公衆回線と制御部との間を接続し、画像情報を送受信する。インタフェース部は、通信回線と制御部との間を接続し、送信すべき画像情報とともにファクシミリ送信要求を受け付ける。
【００２４】
さらに、所定の処理モードは、インタフェース部によってファクシミリ送信要求が受け付けられた状態のファクシミリ送信モードであり、
所定画像は、送信すべき画像情報に基づく画像であり、
制御部は、送信モード時に、画像読取部によって読み取られた送信すべき画像情報を送信することができる。
【００２５】
この構成においては、載置された原稿の画像情報を読み取ってファクシミリ送信するのではなく、ネットワーク等を介して画像情報とともに受け付けられたファクシミリ送信要求に基づく送信モード時に、送信されてきた画像情報に基づいて用紙に画像形成が行われ、その後に逆搬送して用紙の画像情報が読み取られてファクシミリ送信される。したがって、ファクシミリ送信した画像情報を用紙に出力したものを保存しておきたい場合や、画像情報をそのままファクシミリ送信する機能がない場合であっても、用紙に画像形成しつつ容易にファクシミリ送信することができるので、利便性を向上させることができる。
【発明の効果】
【００２６】
この発明によれば、共通搬送路上に順に配置された画像読取部及び画像形成部が、同一面側の原稿及び用紙の画像読取及び画像形成を行い、また画像形成後の所定時間だけ用紙の搬送を停止し、逆搬送させて用紙の画像情報を読み取るので、画像読取部の汚損を防止しつつ、画像形成可能な全ての用紙の画像情報を読み取ることができる。
【発明を実施するための最良の形態】
【００２７】
以下に、この発明を実施するための最良の形態について、図面に基づいて説明する。
【００２８】
図１は、この発明の実施形態に係るインクジェット画像形成装置であるファクシミリ装置の概略の構成を示す側面断面図である。
【００２９】
ファクシミリ装置１は、原稿トレイ２、用紙トレイ３、共通搬送路４、搬送部５、画像読取部６、画像形成部７及び排出部８等から構成されている。原稿トレイ２は、一部が本体フレーム１０内から外部に延出し、原稿が載置される。用紙トレイ３は、原稿トレイ２と並列に配置されて一部が本体フレーム１０内から外部に延出し、用紙が載置される。
【００３０】
共通搬送路４は、原稿トレイ２、用紙トレイ３から画像読取部６、画像形成部７を経由して排出部８にまで原稿及び用紙を導く。搬送部５は、原稿トレイ２及び用紙トレイ３に載置されている原稿及び用紙を共通搬送路４を経由して排出部８に向かう搬送方向である矢印Ｘ方向に搬送する。また、搬送部５は、共通搬送路４上の用紙を矢印Ｘ方向とは反対方向の矢印Ｙ方向にも逆搬送することができる。
【００３１】
さらに、搬送部５は、第１搬送部５０、第２搬送部５５等から構成されている。第１搬送部５０は、用紙を１枚ずつ共通搬送路４に繰り出す。また、第１搬送部５０は、第１駆動モータ５０１及び用紙搬送ローラ５０２等から構成されている。第１駆動モータ５０１は、正回転し、ギヤ５０３，５０４及び無端ベルト５０５を介して用紙搬送ローラ５０２を回転させる。用紙搬送ローラ５０２は、当接した用紙を１枚ずつ共通搬送路４に繰り出す。
【００３２】
第２搬送部５５は、原稿を１枚ずつ共通搬送路４に繰り出す。また、第２搬送部５５は、第２駆動モータ５５１、原稿搬送ローラ５５２及び共通搬送ローラ５５３等から構成されている。第２駆動モータ５５１は、正回転、逆回転自在であり、ギヤ５５４，５５５，５５６，５５７及び無端ベルト５５８，５５９を介して原稿搬送ローラ５５２、共通搬送ローラ５５３を回転させる。原稿搬送ローラ５５２は、当接した原稿を１枚ずつ共通搬送路４に繰り出す。
【００３３】
原稿搬送ローラ５５２は、回転軸が支持部材５６０によって回転自在に支持されている。また、原稿搬送ローラ５５２は、支持部材５６０の揺動によって原稿に離接する方向に揺動自在に支持されている。さらに、原稿搬送ローラ５５２は、図示しないバネによって原稿に当接する方向に付勢されている。
【００３４】
支持部材５６０は、ギヤ５０６の回転軸に固定支持されている。ギヤ５０６は、ギヤ５０３に噛合し、用紙が搬送される際に支持部材５６０を介して原稿搬送ローラ５５２を原稿から離間させる方向に揺動する。これにより、画像形成時には、原稿が誤って搬送されることを防止している。
【００３５】
共通搬送ローラ５５３は、回転により共通搬送路４上の原稿及び用紙を矢印Ｘ方向及び矢印Ｙ方向に搬送する。
【００３６】
第２搬送部５５は、固定レバー５６１を備えている。固定レバー５６１は、ギヤ５６２の回転軸に固定支持され、矢印Ｙ方向に逆搬送される用紙を、原稿トレイ２側に導くようにガイドする。ギヤ５６２は、タイミングベルト５６３を介してギヤ５５４に接続され、ギヤ５５４の回転方向に応じて固定レバー５６１を揺動する。
【００３７】
例えば、第２駆動モータ５５１が正回転して用紙を矢印Ｘ方向に搬送する場合には、固定レバー５６１の面方向は図１の一点鎖線に示すように水平方向になり、共通搬送路４の底面の一部を構成する。一方、第２駆動モータ５５１が逆回転して用紙を矢印Ｙ方向に逆搬送する場合には、固定レバー５６１の面方向は図１の実線に示すように水平方向に対して傾斜した状態となる。
【００３８】
画像読取部６は、図示しないＣＩＳ（Contact Image Sensor）等を備え、共通搬送路４上の読取位置Ａで矢印Ｘ方向に搬送されてきた原稿の読取面の画像情報を読み取る。画像読取部６は、読み取った画像情報を後述する主制御部に送信する。
【００３９】
画像形成部７は、インクを用紙に吐出する図示しないインクジェットヘッド等を備えている。画像形成部７は、インクジェットヘッドに対向する画像形成位置Ｂで、矢印Ｘ方向に搬送される用紙の形成面に画像情報に基づいてインクを吐出して画像形成を行う。なお、画像形成位置Ｂは、読取位置Ａよりも矢印Ｘ方向の下流側に位置している。また、共通搬送路４上の原稿の読取面と用紙の形成面とは同一面側にある。
【００４０】
排出部８は、本体フレーム１０に形成された開口８１、図示しない排紙トレイ等を有し、共通搬送路４上の用紙を外部に排出する。
【００４１】
図２は、ファクシミリ装置１の概略の構成を示すブロック図である。ファクシミリ装置１は、主制御部１１を備えている。主制御部１１は、画像読取部６、画像形成部７、ＬＡＮ制御部１２、通信制御部１４、符号化・複合化部１５、操作表示部１７等に接続され、ファクシミリ装置１の全体の動作を制御する。主制御部１１は、ＣＰＵ、ＲＯＭ、ＲＡＭ、ＥＥＰＲＯＭ（Electrically Erasable Programmable ROM）等を備えている。主制御部１１は、本発明の制御部に相当する。
【００４２】
ＬＡＮ（Local Area Network）制御部１２は、ＬＡＮケーブル１３を介してＬＡＮに接続される。ＬＡＮ制御部１２は、ＬＡＮに接続されているパーソナルコンピュータ等から送信されてくるファクシミリ送信要求を送信すべき画像情報とともに受信する。ＬＡＮ制御部１２は、本発明のインタフェース部に相当する。
【００４３】
通信制御部１４は、接続された公衆電話回線１６を介して与えられるファクシミリ通信情報（画像情報）、およびこのファクシミリ通信情報を送信した送信元を表す送信元情報を受信する。また、通信制御部１４は、公衆電話回線１６を介して他のファクシミリ装置に符号化した画像情報等を送信する。通信制御部１４は、本発明の送受信手段に相当し、図示しない網制御装置（Network Control Unit：ＮＣＵ）及び図示しないモデム等から構成されている。通信制御部１４は、受信した画像情報を、符号化・復号化部１５に送信する。
【００４４】
符号化・復号化部１５は、通信制御部１４から受信した画像情報を復号化し、主制御部１１に送信する。また、符号化・復号化部１５は、主制御部１１から受信したファクシミリ送信すべき画像情報を符号化し、通信制御部１４に送信する。符号化方法は、例えばＭＨ（Modified Huffman）方式、ＭＭＲ（ModifiedModifiedRead）方式がある。
【００４５】
操作表示部１７は、図示しない操作部及び図示しない表示部等から構成されている。操作部は、複数の操作キー等から構成され、ファクシミリ送信要求、原稿読取要求等を受け付ける。表示部は、各種情報の表示を行う。表示部は、例えば受信した画像情報を表示したり、各操作キーを操作することによって入力される情報を表示する。
【００４６】
図３は、補正モードの処理手順を示す流れ図である。補正モードは、画像形成部７のインクジェットヘッドの周知のアライメント調整を行う処理モードであり、ファクシミリ装置１を初めて使用する時等に実行する。なお、補正モードは、本発明の画像形成動作の補正を行う補正モードに相当する。
【００４７】
操作表示部１７によってユーザからの補正モードの処理実行の要求が受け付けられると、主制御部１１は、まず用紙トレイ３に載置されている用紙の矢印Ｘ方向への搬送を開始し（Ｓ１）、画像形成位置Ｂで用紙にテストパターンの画像を形成する処理を行う（Ｓ２）。本発明の所定画像であるテストパターンは、例えば図４に示すような画像であり、用紙に画像形成して最も直線となる番号に基づいてアライメント調整を行う。
【００４８】
次に、主制御部１１は、所定時間だけ用紙の搬送を停止する（Ｓ３）。この所定時間は、少なくとも形成されたテストパターンの画像のインクが乾燥する程度の時間とすることが望ましい。その後、主制御部１１は、用紙を所定量だけ矢印Ｙ方向に逆搬送する（Ｓ４）。所定量は、少なくともテストパターンの画像が形成された領域が読取位置Ａよりも矢印Ｘ方向の上流側に戻る量である。本実施形態では、所定量だけ逆搬送された場合、用紙の矢印Ｘ方向の後端部が原稿トレイ２に達する。
【００４９】
次に、主制御部１１は、用紙の矢印Ｘ方向への搬送を開始し（Ｓ５）、読取位置Ａでテストパターンの画像情報を読み取る（Ｓ６）。その後、主制御部１１は、周知の技術を用いて読み取られたテストパターンの画像情報の内容に基づいて、画像情報の矢印Ｘ方向に対する傾きを調整する（Ｓ７）。これによって、逆搬送等によって用紙が傾いて搬送された場合であっても、用紙の画像情報を正確に取得することができる。
【００５０】
次に、傾き調整された画像情報に基づいてアライメント調整を行い、調整値をＥＥＰＲＯＭに格納する（Ｓ８）。次回以降の画像形成では、格納された調整値を用いてインクジェットヘッドの移動を制御する。その後、用紙を排出部８から排出し（Ｓ９）、補正モードの処理を終了する。
【００５１】
以上のように、共通搬送路４上に順に配置された画像読取部６及び画像形成部７が、同一面側の原稿及び用紙の画像読取及び画像形成を行い、また画像形成後の所定時間だけ用紙の搬送を停止し、逆搬送させて用紙の画像情報を読み取るので、画像読取部６の汚損を防止しつつ、画像形成可能な全ての用紙の画像情報を読み取ることができる。
【００５２】
また、補正モード時に、逆搬送して用紙に形成したテストパターンを読み取ることによって、ユーザがテストパターンが形成された用紙を原稿トレイ２に載置して画像情報を読み取らせる作業が必要なく、透明のフィルム等でなくても画像形成可能な用紙であればテストパターンの形成から読み取りまでを行うことができ、容易に補正を行うことができる。
【００５３】
なお、ファクシミリ装置１の構成上、テストパターンの画像の形成が完了して搬送が停止した状態では、用紙の一部が排出部から外部に露出する露出位置にある場合もある。この場合、Ｓ２の処理でテストパターンに加えて露出する用紙の形成面の領域に補正処理中である旨を表示する案内画像を形成してもよい。これによって、搬送停止中に外部に露出した用紙がユーザによって引っ張り出される等によって補正モードが中断されてしまうことを防止することができる。
【００５４】
また、この案内画像をテストパターンに含めてもよい。これによって、テストパターンとは別に案内画像を形成する必要がなく、インクの消費を抑えることができる。
【００５５】
本実施形態では、用紙の矢印Ｘ方向の後端部が原稿トレイ２に到達する所定量だけ用紙を逆搬送しているが、用紙の矢印Ｘ方向の後端部が原稿トレイ２及び用紙トレイ３と読取位置Ａとの間の停止位置に到達する量を所定量にしてもよい。これによって、逆搬送された時に、用紙が原稿トレイ２及び用紙トレイ３に到達することがなく、共通搬送路４上にあるので、紙詰まりを防止することができる。
【００５６】
また、用紙が上記停止位置に到達する所定量だけ逆搬送された状態で、読取位置Ａよりも矢印Ｘ方向の上流側に位置する用紙の形成面の領域に、テストパターンを形成することで、紙詰まりを防止しつつ、読取位置Ａで確実にテストパターンを読み取ることができる。
【００５７】
さらに、本実施形態では、図３に示すように補正モード時に画像形成した用紙を逆搬送して画像情報を読み取っているが、特にこれに限定されるものではない。例えば、ＬＡＮ制御部１２によってファクシミリ送信要求が受け付けられた状態のファクシミリ送信モード時に行ってもよい。具体的には、ＬＡＮケーブル１３を介してパーソナルコンピュータ等から画像情報とともにファクシミリ送信要求を受け付けたファクシミリ送信モード時に、用紙を矢印Ｘ方向に搬送して送信すべき画像情報の画像（本発明の所定画像に相当する。）を用紙に形成する。所定時間経過して所定量だけ逆搬送した後に、矢印Ｘ方行に搬送するとともに画像情報を読み取る。読み取った画像情報を符号化・複号化部１５、通信制御部１４を介して送信先に送信する。
【００５８】
これによって、ファクシミリ送信した画像情報について用紙に出力したものを保存しておきたい場合や、受信した画像情報をそのままファクシミリ送信する機能がない場合であっても、用紙に画像形成しつつ容易にファクシミリ送信することができるので、利便性を向上させることができる。
【００５９】
なお、本実施形態では、インクジェット画像形成装置であるファクシミリ装置１について説明したが、特にこれに限定されるものではない。画像読取部を備え、インクを吐出して画像形成を行う複合機等のインクジェット画像形成装置であれば本発明を適用することができる。
【図面の簡単な説明】
【００６０】
【図１】この発明の実施形態に係るインクジェット画像形成装置であるファクシミリ装置の概略の構成を示す側面断面図である。
【図２】同ファクシミリ装置の概略の構成を示すブロック図である。
【図３】補正モードの処理手順を示す流れ図である。
【図４】テストパターン画像を示す図である。
【符号の説明】
【００６１】
１−ファクシミリ装置
２−原稿トレイ
３−用紙トレイ
４−共通搬送路
５−搬送部
６−画像読取部
７−画像形成部
８−排出部
１１−主制御部
１２−ＬＡＮ制御部
１４−通信制御部
【図１】
2008155569.tif 000003
【図２】
2008155569.tif 000004
【図３】
2008155569.tif 000005
【図４】
2008155569.tif 000006